(57)【特許請求の範囲】
【請求項１】
互い嵌合される一対の合成樹脂製のハウジングを備え、各ハウジングに対向して設けられたキャビティには、内導体の回りに誘電体を介して外導体を配してなるシールド端子がそれぞれ挿入され、
一方のシールド端子の外導体は、他方のシールド端子の外導体が内側に嵌合可能でかつ内周面に接点が設けられるとともに、
他方のシールド端子は、その外導体がキャビティの前方に突出した状態で装着され、かつ同外導体の外周面にはこの外周面と同一面上において接触面が設けられ、
この他方のシールド端子の外導体が一方のシールドの外導体内に嵌合されて前記接触面が前記接点と接触することで両外導体の導通が取られるようにしたシールドコネクタにおいて、
他方のシールド端子が挿入される側の前記ハウジングの前記キャビティの内壁には、この他方のシールド端子の外導体の外周面に設けられた前記接触面の移動経路に沿うようにして、その接触面を逃がす逃がし溝が凹み形成されているとともに、
前記内壁には、他方のシールド端子の挿入方向に延出した３本以上のがた詰め用のリブが、前記逃がし溝の形成位置を除いた位置において略等角度間隔を開けて形成されており、
かつ、一方のシールド端子の外導体における周壁には、径方向の内外に弾性変位可能な弾性片が形成され、この弾性片の内面に前記接点が設けられていることを特徴とするシールドコネクタ。
【請求項２】
他方のシールド端子の外導体の外周面における前記接触面よりも挿入方向の後方位置には、前記ハウジングの前記キャビティの内壁に食い込んで抜け止めする圧入突起が設けられていることを特徴とする請求項１記載のシールドコネクタ。
【請求項３】
他方のシールド端子の外導体の外周面には、スタビライザが軸線方向に沿った姿勢で突設される一方、前記ハウジングの前記キャビティの内壁には、前記スタビライザを挿通可能なガイド溝が、前記キャビティの入口の開口縁から奥に向けて形成され、かつ他方のシールド端子が正規位置まで挿入された場合に、前記スタビライザと前記ガイド溝の奥面との間にクリアランスが設けられる設定となっていることを特徴とする請求項１または請求項２記載のシールドコネクタ。
【請求項４】
互い嵌合される一対の合成樹脂製のハウジングを備え、各ハウジングに対向して設けられたキャビティには、内導体の回りに誘電体を介して外導体を配してなるシールド端子がそれぞれ挿入され、一方のシールド端子の外導体は、他方のシールド端子の外導体が内側に嵌合可能でかつ内周面に接点が設けられるとともに、他方のシールド端子は、その外導体がキャビティの前方に突出した状態で装着され、他方のシールド端子の外導体が一方のシールドの外導体内に嵌合されて前記接点と接触することで両外導体の導通が取られるようにしたシールドコネクタにおいて、
他方のシールド端子が挿入される側の前記ハウジングの前記キャビティの内壁には、この他方のシールド端子の外導体の外周面のうち一方のシールド端子の外導体の前記接点と接触する接触面の移動経路に沿うようにして、その接触面を逃がす逃がし溝が凹み形成され、
かつ、一方のシールド端子の外導体における周壁には、径方向の内外に弾性変位可能な弾性片が形成され、この弾性片の内面に前記接点が設けられており、
さらに、他方のシールド端子の外導体の外周面には、スタビライザが軸線方向に沿った姿勢で突設される一方、前記ハウジングの前記キャビティの内壁には、前記スタビライザを挿通可能なガイド溝が、前記キャビティの入口の開口縁から奥に向けて形成され、かつ他方のシールド端子が正規位置まで挿入された場合に、前記スタビライザと前記ガイド溝の奥面との間にクリアランスが設けられる設定となっていることを特徴とするシールドコネクタ。
【請求項５】
他方のシールド端子の外導体の外周面における前記接触面よりも挿入方向の後方位置には、前記ハウジングの前記キャビティの内壁に食い込んで抜け止めする圧入突起が設けられていることを特徴とする請求項４記載のシールドコネクタ。
【発明の詳細な説明】
【技術分野】
【０００１】
本発明は、シールドコネクタに関する。
【背景技術】
【０００２】
従来シールドコネクタの一例として、特許文献１に記載されたものが知られている。このものは、互い嵌合される一対の合成樹脂製のハウジングを備え、各ハウジングに対向して設けられたキャビティには、内導体の回りに誘電体を介して外導体を配してなる雌雄のシールド端子がそれぞれ挿入され、雄側のシールド端子の外導体は、相手の雌側のシールド端子の外導体が内側に嵌合可能でかつ内周面に接点が設けられるとともに、雌側のシールド端子は、その外導体がキャビティの前方に突出した状態で装着され、雌側のシールド端子の外導体が雄側のシールドの外導体内に嵌合されて接点と接触することで雌雄の外導体の導通が取られるようになっている。
【特許文献１】特開２０００−２９９１６３公報
【発明の開示】
【発明が解決しようとする課題】
【０００３】
ここで雌側のシールド端子は、例えば自動挿入装置を用いてハウジングのキャビティ内に圧入されるが、比較的高速で圧入されるために外導体の外周面がキャビティの内壁に擦られて樹脂が付着するおそれがあり、特に付着箇所が接点との接触面であると、雌雄の外導体同士が導通不良となる不具合があった。  
本発明は上記のような事情に基づいて完成されたものであって、その目的は、対応するシールド端子の外導体同士の導通を確実に取れるようにするところにある。
【課題を解決するための手段】
【０００４】
本発明は、互い嵌合される一対の合成樹脂製のハウジングを備え、各ハウジングに対向して設けられたキャビティには、内導体の回りに誘電体を介して外導体を配してなるシールド端子がそれぞれ挿入され、一方のシールド端子の外導体は、他方のシールド端子の外導体が内側に嵌合可能でかつ内周面に接点が設けられるとともに、他方のシールド端子は、その外導体がキャビティの前方に突出した状態で装着され、かつ同外導体の外周面にはこの外周面と同一面上において接触面が設けられ、この他方のシールド端子の外導体が一方のシールドの外導体内に嵌合されて前記接触面が前記接点と接触することで両外導体の導通が取られるようにしたシールドコネクタにおいて、他方のシールド端子が挿入される側の前記ハウジングの前記キャビティの内壁には、この他方のシールド端子の外導体の外周面に設けられた前記接触面の移動経路に沿うようにして、その接触面を逃がす逃がし溝が凹み形成されているとともに、前記内壁には、他方のシールド端子の挿入方向に延出した３本以上のがた詰め用のリブが、前記逃がし溝の形成位置を除いた位置において略等角度間隔を開けて形成されており、かつ、一方のシールド端子の外導体における周壁には、径方向の内外に弾性変位可能な弾性片が形成され、この弾性片の内面に前記接点が設けられているところに特徴を有する。
【０００５】
上記構成によれば、他方のシールド端子がハウジングのキャビティに挿入される際、その外導体における相手の接点との接触面が、逃がし溝と対応して逃がされつつ、すなわちキャビティの内壁に擦られることなく移動し、したがって接触面に合成樹脂材が付着することが防止される。そのため、他方のシールド端子の外導体が一方のシールド端子の外導体の内側に嵌合された際、接触面と相手の接点とが非導電材である合成樹脂材を介することなく直に接触し、両外導体間の導通が確実に取られる。
【０００６】
また、他方のシールド端子の外導体が、弾性片を外側に弾性変位させつつ一方のシールド端子の外導体の内側に嵌合され、同弾性片の復元弾力で接点が接触面に押圧接触される。外導体同士の嵌合抵抗が小さく抑えられる。
【０００７】
また、以下のような構成としてもよい。
（１）他方のシールド端子の外導体の外周面における前記接触面よりも挿入方向の後方位置には、前記ハウジングの前記キャビティの内壁に食い込んで抜け止めする圧入突起が設けられている。逃がし溝が圧入突起の案内として機能するから、他方のシールド端子を対応するキャビティ内に挿入する作業がスムーズに行われる。
【０００８】
（２）他方のシールド端子の外導体の外周面には、スタビライザが軸線方向に沿った姿勢で突設される一方、前記ハウジングの前記キャビティの内壁には、前記スタビライザを挿通可能なガイド溝が、前記キャビティの入口の開口縁から奥に向けて形成され、かつ他方のシールド端子が正規位置まで挿入された場合に、前記スタビライザと前記ガイド溝の奥面との間にクリアランスが設けられる設定となっている。
【０００９】
スタビライザをガイド溝の奥面に当てることで他方のシールド端子を正規位置に前止まりさせる構成であると、シールド端子が片当たりして軸線が傾いた姿勢でキャビティ内に装着されるおそれがある。それに対してこの発明では、例えば端子の自動挿入装置を用いてシールド端子を所定の正規位置まで挿入するようにすることで、正規位置に至った場合にもスタビライザがガイド溝の奥面の手前に留まるようにしており、結果シールド端子の片当たりが回避されて、軸線が傾いた状態で装着されることが防止される。
【発明の効果】
【００１０】
本発明によれば、対応するシールド端子の外導体間の導通を確実に取ることができる。
【発明を実施するための最良の形態】
【００１１】
＜実施形態＞
本発明の一実施形態を図１ないし図１７に基づいて説明する。  
この実施形態では、図１に示すように、互いに嵌合される雌コネクタＦと雄コネクタＭとを備えている。雌コネクタＦは、シールド電線１０の端末に設けられた雌側のシールド端子２０（以下、雌シールド端子２０）が装着されるものであり、一方、雄コネクタＭは、プリント基板４０の端縁に取り付けられて、同プリント基板４０の導電部４５，４６と接続された雄側のシールド端子５０（以下、雄シールド端子５０）が装着され、雌雄のコネクタＦ，Ｍを嵌合することにより、シールド電線１０と対応する導電部４５，４６同士を接続することに機能する。  
以下では、各コネクタＦ，Ｍについて、嵌合時に相手コネクタと対向する側を前方として説明する。
【００１２】
雌コネクタＦについて説明する。雌コネクタＦは、図２に示すように、雌側のコネクタハウジング３０（以下、雌ハウジング３０）を備え、同雌ハウジング３０に、シールド電線１０の端末に固着された雌シールド端子２０が収容され、リテーナ（図示せず）により二重係止されて装着されるようになっている。  
シールド電線１０は、軸心側から順に、芯線１１、絶縁内皮１２、編組線１３、絶縁外皮１４を同心に備えた公知構造のものであり、芯線１１は信号線を構成し、編組線１３はアース線を構成する。
【００１３】
雌シールド端子２０は、図３にも示すように、シールド電線１０の芯線１１に接続される内導体２１（以下、雌内導体２１）の回りに、絶縁材からなる誘電体２２を介して、外導体２３（以下、雌外導体２３）が配された構造である。  
雌外導体２３は、図４ないし図６にも示すように、誘電体２２の外周に間隔を開けて嵌着される円筒形をなす接続部２４の後部側に、前後２個のバレル２５Ａ，２５Ｂが設けられた形状であり、前側のバレル２５Ａが編組線１３に、後側のバレル２５Ｂが絶縁外皮１４にそれぞれかしめ圧着されるようになっている。
【００１４】
接続部２４の左右の内周面には、前端寄りの中央高さ位置において接点２６が対向するようにして設けられている。より詳細には、接続部２４の正面から見た左側の周面には、前方に向けて片持ち状に延出した弾性片２７が切り出し形成され、先端側が同接続部２４の径方向の内外に弾性変位可能となっている。この弾性片２７の先端部の内面に、左側の接点２６が叩き出しにより形成されている。一方、右側の接点２６は、接続部２４の右側の周面における対向箇所が、直接に内方に叩き出されて形成されている。  
なお、接続部２４の下面の先端寄りの位置には、後記するランス３３に係止する係止突起２８が形成されているとともに、その後方に、挿入ガイド用の２枚のスタビライザ２９が形成されている。
【００１５】
雌ハウジング３０は合成樹脂製であって、前後方向にやや長いブロック状をなし、上記した雌シールド端子２０が挿入されるキャビティ３１が形成されている。キャビティ３１は、雌シールド端子２０（雌外導体２３）がほぼ緊密に挿入される略円形断面で、前後方向に延出した形態で形成され、キャビティ３１の前壁３１Ａには、相手の雄シールド端子５０が挿入される端子挿入口３２が開口されている。キャビティ３１の天井面における前端に寄った位置には、前方を向いた片持ち状をなして弾性変位可能なランス３３が形成されているとともに、同天井面のランス３３を挟んだ左右両側にはガイド溝３４が形成されている。
【００１６】
雌シールド端子２０は、図２に示すように、上下反転させた姿勢においてキャビティ３１内に後方から挿入され、スタビライザ２９をガイド溝３４に沿わせ、かつ終盤ではランス３３を弾性変位させつつ押し込まれ、前壁３１Ａに当たる正規位置まで押し込まれると、ランス３３が復動変位して係止突起２８に係止することで、抜け止め状態に一次係止される。また、図示しないリテーナにより二重係止されるようになっている。  
なお、雌ハウジング３０の上面には、前縁から後縁側に向けて片持ち状に延出されて弾性変位可能なロックアーム３５が設けられている。
【００１７】
次に、雄コネクタＭについて説明する。雄コネクタＭは、図８に示すように、プリント基板４０の端縁に取り付けられる雄側のコネクタハウジング７０（以下、雄ハウジング７０）を備え、同雄ハウジング７０に、雄シールド端子５０が装着されている。プリント基板４０は、図７に示すように、その端縁に取付凹部４１が切り欠き形成され、同取付凹部４１の左右の側縁部における裏面側に、挿入孔４２を有する取付用ランド４３が設けられているとともに、取付凹部４１の奥縁の表面側に、左右一対のグランド用導電部４５と、その奥側に信号用導電部４６が形成された構造である。
【００１８】
雄シールド端子５０は、図９にも示すように、プリント基板４０に形成された信号用導電部４６に接続される内導体５１（以下、雄内導体５１）の回りに、絶縁材からなる誘電体５２を介して、プリント基板４０上のグランド用導電部４５に接続される外導体５３（以下、雄外導体５３）が配された構造である。  
雄内導体５１は、細長いタブ状に形成され、後端側が一段上がった段差状に形成されている。この雌内導体２１が誘電体５２内に圧入され、前後両端部５１Ａ，５１Ｂを誘電体５２の前後両面から突出させた状態で装着されている。
【００１９】
雄外導体５３は、図１０及び図１１にも示すように、全体としては、上記した雌外導体２３の内周に緊密に嵌合可能な円筒形に形成されており、前側の半分強の長さ領域が全周にわたる円筒部５５とされている一方、後側の残りの長さ領域では、上面に開口溝５６が形成され、この開口溝５６は、前側が幅狭部５６Ａ、後側が幅広部５６Ｂとなった段差状に形成されている。  
この雄外導体５３は、円筒部５５における先端側の半分強の領域が、上記した雌外導体２３の接続部２４と誘電体２２との間の環形の隙間内に緊密に嵌合可能となっている。したがって、雄外導体５３の円筒部５５の左右の外周面における長さ方向のほぼ中央位置でかつ中央高さ位置が、上記した雌外導体２３の内周面に設けられた左右の接点２６と接触する接触面５８となっている（図９参照）。
【００２０】
雄外導体５３の円筒部５５の基端側における左右の外周面には、中央高さ位置において圧入突起６０が形成されている。圧入突起６０は言い換えると、上記した接触面５８の所定寸法後方位置において外方に叩き出して形成され、前側が尖り、後方に向けて幅広かつ突出高さが大きくなった楔状に形成されている。  
なお、両圧入突起６０の直ぐ後方には、後向きの楔状をなして内方に叩き出された係止突起６１が形成されている。
【００２１】
雄外導体５３の上面の開口溝５６における幅狭部５６Ａの基端側の両側縁からは、一対のスタビライザ６３が、前後方向に沿った平行姿勢を取って立ち上がり形成されている。また、開口溝５６における幅広部５６Ｂの長さ方向のほぼ中央位置からは、左右一対の接触片６４が、互いに反対方向を向いて水平姿勢で開くようにして形成されている。両接触片６４は、後記するように、プリント基板４０上のグランド用導電部４５と接続されるようになっている。
【００２２】
雄シールド端子５０は、以下のようにして組み付けられる。図９の状態から、雄内導体５１が誘電体５２内に後方から圧入され、上記したように前後両端部５１Ａ，５１Ｂを誘電体５２の前後両面から突出させた状態で装着される。このように雄内導体５１が圧入された誘電体５２が、雄外導体５３内に後方から押し込まれ、誘導体５２の上面の突部５２Ａが、雄外導体５３の開口溝５６の幅狭部５６Ａの前縁に当たることで押し込みが停止され、雄外導体５３の内周面の左右の係止突起６１が誘導体５２の外周面に食い込むことで、抜け止めされた状態に装着される。  
このとき図８に示すように、誘導体５２の後面が雄外導体５３の後面とほぼ面一に収まり、一方、誘導体５２の前面から突出した雄内導体５１の前端部５１Ａが、雄外導体５３の円筒部５５における前端側の領域内の軸心部に位置するようになっている。また、雄内導体５１の後端部５１Ｂの上面と、左右の接触片６４の上面とが、同じ高さ位置に来るようになっている。
【００２３】
雄ハウジング７０は合成樹脂製であって、図８及び図１２に示すように、小嵩のブロック状をなす本体部７１の前面に、上記した雌ハウジング３０を嵌合可能な角形のフード部７２が形成された形状である。また、本体部７１からフード部７２の後端部にわたる左右両側面の下端寄りの位置からは、一対の取付部７３が張り出し形成されている。各取付部７３には、図１３及び図１４に示すように、金属板製でかつ二股状に形成された取付具７４が、上面に突出して装着されるようになっている。
【００２４】
雄ハウジング７０の本体部７１には、上記した雄シールド端子５０を圧入可能なキャビティ７５が形成されている。このキャビティ７５は、上記した雄シールド端子５０における雄外導体５３が緊密に挿通する円形断面をなし、前後両面に貫通して形成されている。ただし、本体部７１の厚みが小さいことから、キャビティ７５の全長は、雄外導体５３の１／３弱である。
【００２５】
さて、雄ハウジング７０の本体部７１に設けられたキャビティ７５には、その左右の内壁における中央高さ位置に、逃がし溝７６が全長にわたって凹み形成されている。言い換えると、同逃がし溝７６は、キャビティ７５の左右の内壁において、雄外導体５３の外周面における上記の接触面５８、並びに圧入突起６０の移動経路に沿うようにして形成されている。逃がし溝７６の幅は、圧入突起６０の最大幅よりも少し広い程度、また逃がし溝７６の深さは、圧入突起６０の最大高さの半分程度の寸法に設定されている。
【００２６】
キャビティ７５の上側の内壁には、雄シールド端子５０の誘導体５２の上面の突部５２Ａが挿通される挿通溝７７が、後面（入口側）から前面の少し手前の位置まで形成されている。また、上記の挿通溝７７の左右両側には、雄シールド端子５０の雄外導体５３の上面に突設された一対のスタビライザ６３をそれぞれ挿通する一対のガイド溝７８が、後面（入口側）から所定寸法だけ行き止まり状に形成されている。  
後記するように、雄シールド端子５０がキャビティ７５内に圧入された場合の正規の停止位置は、図１６に示すように、誘導体５２の突部５２Ａの後面が、本体部７１の後面よりも僅かに入った位置であるが、雄シールド端子５０がキャビティ７５内において正規の停止位置で停止された場合、スタビライザ６３とガイド溝７８の奥面との間にはクリアランスＣ１ができる設定となっている。なお、誘電体５２の突部５２Ａと挿通溝７７の奥面との間にもクリアランスＣ２が設けられる。
【００２７】
上記した逃がし溝７６、挿通溝７７及びガイド溝７８の入口を含め、キャビティ７５の入口側の口縁には、外側に向けて広がった誘い込み部８０が形成されている。また、キャビティ７５の奥側、すなわちフード部７２に寄った側の略半分の長さ領域の内壁には、前後方向に延出した図示４本のがた詰め用のリブ８２が、等角度間隔を開けて形成されている。  
さらに、フード部７２の上側の内壁における端縁部には、雄ハウジング７０側のロックアーム３５のロック突起３５Ａが係止する係止突起８４が形成されている。
【００２８】
続いて、本実施形態の作用について説明する。  
雌コネクタＦ側では、シールド電線１０の端末に雌シールド端子２０が接続され、このシールド端子が、図２の矢線に示すように、雌ハウジング３０のキャビティ３１内に後方から挿入され、正規位置まで押し込まれところで、図１に示すように、ランス３３により抜け止め状態に一次係止され、続いてリテーナにより二重係止されて装着される。
【００２９】
一方、雄コネクタＭ側では、まず既述した要領によって、図８に示すように、雄シールド端子５０が組み付けられる。このように組み付けられた雄シールド端子５０が、同図の矢線に示すように、雄ハウジング７０のキャビティ７５内に後方から圧入される。この圧入作業は自動圧入機を用いて行われ、雄ハウジング７０が圧入機本体にセットされる一方、雄シールド端子５０が進退可能な押込部材で押し込まれるようになっていて、同押込部材がストロークの前端位置まで進出したところで、雄シールド端子５０が正規位置まで押し込まれるようになっている。
【００３０】
雄シールド端子５０は、押込部材の進出に伴って雄ハウジング７０のキャビティ７５内に押し込まれ、途中から雄外導体５３に設けられた左右の圧入突起６０が対応する逃がし溝７６に臨んで、その溝底に食い込みつつ摺動する。また、誘電体５２の突起５２Ａと、雄外導体５３のスタビライザ６３とが、それぞれ対応する挿通溝７７、ガイド溝７８に沿って前進する。  
押込部材がストロークの前端位置まで進出したら、図１に示すように、雄シールド端子５０は、誘導体５２の突部５２Ａの後面が本体部７１の後面よりも少し入り込んだ正規位置まで押し込まれ、そののち押込部材は後退する。
【００３１】
雄シールド端子５０がキャビティ７５内の正規位置まで押し込まれると、左右の圧入突起６０の後端が逃がし溝７６の溝底に食い込んで係止されることにより、抜け止め状態に圧入される。このとき、雄シールド端子５０の先端側が、フード部７２内の下部位置において突出した状態となる。また、誘電体５２の突部５２Ａ、雄外導体５３のスタビライザ６３は、図１６に示すように、対応する挿通溝７７の奥面、またはガイド溝７８の奥面に当たることなく、その手前に留まった状態となる。
【００３２】
上記のように雄シールド端子５０の雄外導体５３の左右の外周面における圧入突起６０の前方位置には、相手の雌シールド端子２０の雌外導体２３の接点２６が接触する接触面５８が設けられているのであるが、雄外導体５３の左右の外周面における上記の接触面５８と、その前縁までの領域とは、雄シールド端子５０が正規位置まで圧入される間、逃がし溝７６と対応して逃がされつつ前進するから、キャビティ７５の内壁に擦られることがなく、したがって接触面５８並びにその前方の領域に合成樹脂材が付着することがない。
【００３３】
上記のように雄ハウジング７０に対して雄シールド端子５０が装着されたら、図１３及び図１４に示すように、左右の取付部７３に取付具７４が装着され、これにより雄コネクタＭの組み付けが完了する。  
このように組み付けられた雄コネクタＭは、プリント基板４０の端縁に取り付けられる。プリント基板４０は表裏反転されて配され、図１に示すように、雄コネクタＭは、本体部７１を取付凹部４１に嵌めつつ表面（同図の下面）に向けて下方から当てる。このとき、取付部７３に装着された取付具７４が、相手の取付用ランド４３の挿入孔４２を貫通し、左右の取付部７３が、取付凹部４１の左右の側縁部に当たって停止され、取付具７４の突出部分が取付用ランド４３に半田付けされて、雄ハウジング７０がプリント基板４０の端縁に固定される。  
ここで、雄内導体５１の後端部５１Ｂが、取付凹部４１の奥縁側に設けられた信号用導電部４６に、また、雄外導体５３に設けられた左右の接触片６４がグランド用導電部４５にそれぞれ当てられるから、半田付けすることにより導通が取られる。
【００３４】
このようにプリント基板４０の端縁に取り付けられた雄コネクタＭのフード部７２内に、シールド電線１０の端末に接続された雌コネクタＦが、図１の矢線方向に嵌合される。雌コネクタＦは、ロックアーム３５を弾性変位させつつフード部７２内に嵌合され、途中から、雌シールド端子２０と相手の雄シールド端子５０の先端側同士が嵌合される。  
より具体的には、雄内導体５１の先端が、相手の雌内導体２１内に前方から進入する。一方、雄外導体５３の先端側が、雌外導体２３の先端側の内周側に挿入され、弾性片２７を弾性変位させつつ進入する。
【００３５】
雌ハウジング３０の前面が、雄ハウジング７０のフード部７２における奥面に当たる正規位置まで押し込まれると、図１７に示すように、ロックアーム３５が弾性復動してロック突起３５Ａが係止突起８４に係止することにより、雌雄のコネクタＦ，Ｍが正規の嵌合状態にロックされる。このとき、雌雄の内導体２１，５１同士が嵌合接続されて導通が取られる。また、雌外導体２３の弾性片２７が復動変位しつつ、左右の接点２６が、相手の雄外導体５３の接触面５８を挟むようにして接触する。  
この間、雌外導体２３側の接点２６が、雄外導体５３の接触面５８からその前方の外周面を摺接することになるが、上記のようにそれらの面には、合成樹脂材が一切付着していないから、接点２６と対応する接触面５８とが直に接触できて、確実に導通を取ることが可能となる。
【００３６】
以上説明したように本実施形態によれば、雄ハウジング７０のキャビティ７５の左右の内壁には、雄シールド端子５０における雄外導体５３の左右の外周面に設定された接触面５８の移動経路に沿うようにして逃がし溝７６が凹み形成されているから、雄シールド端子５０がキャビティ７５内に正規位置まで圧入される間、雄外導体５３の外周面の接触面５８と、その前縁の領域とは、キャビティ７５の内壁に擦られることがなく、したがって接触面５８並びにその前方の領域に合成樹脂材が付着することがない。一方、雌雄のシールド端子２０，５０が嵌合される際、雌外導体２３側の接点２６が、雄外導体５３の接触面５８からその前方の外周面を摺接することになるが、上記のようにそれらの面には、合成樹脂材が一切付着していないから、接点２６と対応する接触面５８とが非導電材である合成樹脂材を介することなく直に接触でき、両外導体２３，５３間の導通を確実に取ることができる。
【００３７】
雄ハウジング７０のキャビティ７５の内壁に形成された左右の逃がし溝７６は、雄外導体５３に形成された左右の圧入突起６０を案内することに機能し、これにより雄シールド端子５０を雄ハウジング７０のキャビティ７５内に圧入する作業をスムーズに行うことができる。  
また、雌シールド端子２０の雌外導体２３に備えた一方の接点２６は、弾性片２７上に形成したから、雌雄の外導体２３，５３同士が嵌合される際の抵抗を小さく抑えた上で、高い接触圧を得ることができる。
【００３８】
なお、雄シールド端子５０をキャビティ７５内に圧入して正規位置で停止するに当たり、例えば雄外導体５３の上面に突設されたスタビライザ６３をそのガイド溝７８の奥面に当てるようにすると、雄シールド端子５０が片当たりして軸線が傾いた姿勢でキャビティ７５内に装着されるおそれがある。  
それに対してこの実施形態では、雄シールド端子５０が、自動圧入機に装備された押込部材によりキャビティ７５内に圧入され、かつ同押込部材がストロークの前端位置まで進出したところで、雄シールド端子５０が正規位置まで押し込まれるようにし、そのときスタビライザ６３がガイド溝７８の奥面の手前に留まるようにしている。その結果、雄シールド端子５０の片当たりが回避され、軸線が傾いた状態で装着されることが防止される。
【００３９】
＜他の実施形態＞
本発明は上記記述及び図面によって説明した実施形態に限定されるものではなく、例えば次のような実施形態も本発明の技術的範囲に含まれる。  
（１）上記実施形態では、雄シールド端子の雄外導体に設けられた左右一対の接点について、一方は弾性片に形成した場合を例示したが、両接点とも弾性片に形成したり、あるいは両接点とも壁面を直接に叩き出して形成してもよい。  
（２）上記実施形態では、接点が左右一対設けられている場合を例示したが、接点は１個だけであったり、逆に３個以上であってもよい。  
（３）上記実施形態とは逆に、雄シールド端子における雄外導体の内周面に接点が、雌シールド端子における雌外導体の外周面に、同接点が接触する接触面が形成されている場合にも、本発明は同様に適用できる。
【００４０】
（４）雄シールド端子を雄ハウジングのキャビティに装着する形式は、上記実施形態に例示した圧入に限らず、金属ランスや樹脂ランスにより抜け止めするものであってもよい。  
（５）雄コネクタについては、プリント基板に装着される基板用コネクタを例示したが、機器の壁面に装着される機器用コネクタや、シールド電線の端末に接続されるハーネス用コネクタであってもよい。  
（６）上記実施形態では単極のコネクタを例示したが、多極のコネクタであってもよい。
【図面の簡単な説明】
【００４１】
【図１】本発明の一実施形態に係る雌雄のコネクタの嵌合前の縦断面図
【図２】雌コネクタの組付動作を示す縦断面図
【図３】雌シールド端子の分解縦断面図
【図４】雌外導体の平面図
【図５】同部分平断面図
【図６】同正面図
【図７】プリント基板におけるコネクタ装着部分の平面図
【図８】雄コネクタの組付動作を示す縦断面図
【図９】雄コネクタの分解縦断面図
【図１０】雄外導体の一部切欠平面図
【図１１】同正面図
【図１２】雄ハウジングの背面図
【図１３】雄コネクタの背面図
【図１４】同側面図
【図１５】図１４のXV−XV線断面図
【図１６】雄コネクタの部分拡大縦断面図
【図１７】雌雄のコネクタが正規嵌合された状態の縦断面図
【符号の説明】
【００４２】
Ｆ…雌コネクタ
Ｍ…雄コネクタ
１０…シールド電線
２０…雌シールド端子
２１…雌内導体
２２…誘電体
２３…雌外導体
２６…接点
２７…弾性片
３０…雌ハウジング
３１…キャビティ
４０…プリント基板
５０…雄シールド端子
５１…雄内導体
５２…誘電体
５３…雄外導体
５５…円筒部
５８…接触面
６０…圧入突起
６３…スタビライザ
７０…雄ハウジング
７５…キャビティ
７６…逃がし溝
７８…ガイド溝
Ｃ１…クリアランス
【図１】
0005003567.tif 000002
【図２】
0005003567.tif 000003
【図３】
0005003567.tif 000004
【図４】
0005003567.tif 000005
【図５】
0005003567.tif 000006
【図６】
0005003567.tif 000007
【図７】
0005003567.tif 000008
【図８】
0005003567.tif 000009
【図９】
0005003567.tif 000010
【図１０】
0005003567.tif 000011
【図１１】
0005003567.tif 000012
【図１２】
0005003567.tif 000013
【図１３】
0005003567.tif 000014
【図１４】
0005003567.tif 000015
【図１５】
0005003567.tif 000016
【図１６】
0005003567.tif 000017
【図１７】
0005003567.tif 000018